(57)【要約】【課題】  排出される用紙の種類に応じて任意に揺動部材の位置を変化させて、最適な用紙の積載性能を得られる排紙収納装置を提供する。【解決手段】  排紙される用紙３が順次積載される排紙台７４に設けられた排出方向と略平行に延びるとともに排出方向と略直交する方向で互いに対向する一対のサイドフェンス７６Ａ、７６Ｂに、アーム２１を回転自在に装着し、その自由端部に回動自在に揺動部材１５を連結し、各サイドフェンスの内面７８から突出する案内位置と内面から退避する収納位置とを占めるようにする。この揺動部材１５は、案内位置を占めたときに用紙の幅方向端部を上方に反らせる接触面１６を有し、各サイドフェンスの垂直方向に設けられて用紙の重さで用紙の落下を許容する。各サイドフェンスには揺動部材１５を案内位置と収納位置とへ任意の操作によって変位させる退避手段８０を設けた。【選択図】      図３
2005154027.tif 000002
【特許請求の範囲】
【請求項１】
排紙される用紙が順次積載される排紙台と、この排紙台に設けられた排出方向と略平行に延びるとともに前記排出方向と略直交する方向で互いに対向する一対のサイドフェンスと、これら一対のサイドフェンスに回転自在に装着されたアームの自由端部に回動自在に連結されていて、各サイドフェンスの内面から突出する案内位置と内面から退避する収納位置とを占める揺動部材とを備え、前記揺動部材は、案内位置を占めたときに用紙の幅方向端部を上方に反らせる接触面を有し、各サイドフェンスの垂直方向に設けられて用紙の重さで用紙の落下を許容する排紙収納装置において、
前記揺動部材を前記案内位置と前記収納位置とへ任意の操作によって変位させる退避手段を有することを特徴とする排紙収納装置。
【請求項２】
請求項１記載の排紙収納装置において、
前記退避手段は、各サイドフェンスに対して摺動自在な操作部と、前記操作部と一体的に移動可能に設けられ、前記操作部を摺動した際に各案内部材の一部と係合して各案内部材を前記収納位置へと移動させる作用部材とを有することを特徴とする排紙収納装置。
【請求項３】
請求項１または２記載の排紙収納装置において、
前記揺動部材が排出方向に複数列設けられ、各列において前記揺動部材は垂直方向に交互配設され、各列にそれぞれに独立して前記退避手段を設置したことを特徴とする排紙収納装置。
【請求項４】
請求項１、２または３記載の排紙収納装置において、
前記揺動部材は、前記排紙台に積載された用紙を上方へ取り出す際に、上方へ移動しながら前記案内位置から前記収納位置へと変位することを特徴とする排紙収納装置。
【請求項５】
請求項１ないし４の何れかに記載の排紙収納装置において、
前記揺動部材の上方に、用紙の幅方向端部を上方に反らせて落下させるための誘導ガイド部材を有することを特徴とする排紙収納装置。
【請求項６】
請求項５記載の排紙収納装置において、
前記誘導ガイド部材は、前記サイドフェンスに開閉可能に装着されていることを特徴とする排紙収納装置。
【請求項７】
画像形成手段により形成された画像を用紙に転写し、その用紙を排紙収納装置に排出して積載収納する画像形成装置において、
前記排紙収納装置が、請求項１ないし６の何れかに記載のものであることを特徴とする排紙収納装置。
【発明の詳細な説明】
【技術分野】
【０００１】
本発明は、排紙される画像形成済みのシート、転写材、記録材等の用紙を積載・収納する排紙収納装置と、この排紙収納装置を有する印刷機、複写機、プリンタ、ファクシミリ、これらの複合機等の画像形成装置に関する。
【背景技術】
【０００２】
排紙収納装置として図１２に示すような構成のものが知られている。図１２に示す排紙収納装置は、画像形成装置１の用紙搬送ユニット２によって排紙された用紙３を積載・収容する排紙台４と、用紙３の排出方向の移動を制限するエンドフェンス６と、排出方向と略平行に延びるとともに排出方向と略直交する方向で対向する一対のサイドフェンス７Ａ，７Ｂを有している。排紙台４はその後端が支持軸５によって画像形成装置１に支持されており、画像形成装置１側へ回動して折り畳み収納できるようになっている。エンドフェンス６は用紙３の排出方向において位置調整可能となっており、サイドフェンス７Ａ，７Ｂはレール９とスライダ１０により排出方向と略直交する方向（用紙の幅方向）において位置調整可能となっている。また、エンドフェンス６及びサイドフェンス７Ａ，７Ｂは、内方へ折り畳み可能に設けられている。排紙台４は、エンドフェンス６により用紙３の先端を整列させるため、通常前方が下がる傾斜角θの傾斜状態で画像形成装置１に取り付けられている。
【０００３】
用紙３の紙質、サイズ、印刷パターン、特に孔版印刷における印刷機の種類等によっては画像面がインキによって延び、図１３に示すように、用紙３が上方に凸状のアーチ形態となる現象が生じる。用紙３がこのような形で排紙台４に落下した場合、空気抵抗によって位置がずれ易く、整列性が悪くなる。このため、用紙３の、上方に凸状のアーチ形態を落下過程で矯正して整列性の向上を図る提案がなされている。
【０００４】
例えば、特許文献１には、一対のサイドフェンスにそれぞれサイドフェンスの内方へ突出する揺動部材を上下方向に複数設ける排紙収納装置が記載されている。この装置では、揺動部材が用紙の重量で回動して用紙を下方に通過させる構成を有している。上方に凸状のアーチ形態で排出された用紙は、その排出方向と直交する幅方向端部が揺動部材に当接することによって下方に凸状の逆アーチ形態となる。揺動部材を通過した用紙は上方に凸状のアーチ形態に復帰しようとするが、下方の揺動部材との接触で再び下方に凸状の逆アーチ形態となり、結果、空気抵抗の少ない姿勢で排紙台に積載される。揺動部材は、上方への回動は制限されており、用紙が接触して下方へ回動した後は、ウエイトバランスによって上方に回動し、所定位置で停止するようになっている。
【０００５】
特許文献２には、一対のサイドフェンスに、用紙の幅方向端部を上方に反らせる接触面を有し且つ用紙の重さで揺動して用紙の落下を許容する揺動部材がそれぞれ垂直方向に複数設けられ、各揺動部材が、サイドフェンスに回動自在に設けられたアームの自由端部に回動自在に連結され、排紙台に積載された用紙を上方へ取り出す際、揺動部材は上方へ移動しながらサイドフェンスの内面から退避するように変位する排紙収納装置が記載されている。
【０００６】
【特許文献１】特開平６−３２９３２７号公報
【特許文献２】特開２００３−４０５１５号公報
【発明の開示】
【発明が解決しようとする課題】
【０００７】
特許文献１，２においては、それぞれ用紙の幅方向端部を上方に反らせる揺動部材を備えているが、薄紙などのコシの無い用紙を積載するに際しては、揺動部材をサイドフェンス内面に突出した案内位置からサイドフェンス内面から退避する収納位置へと退避させることが出来ず、用紙が撓んでしまい排紙揃えが悪化してしまう。すなわち、用紙には、薄紙、標準紙、厚紙等でコシの強さに違いがあり、薄紙の場合、揺動部材を落下時に自力で退避させる程度のコシが無いため、用紙事態が撓んでしまい、落下時Ｕ時形状を保持できなくなり排紙揃えを悪化させてしまう。また、排紙台上に排出された用紙が揺動部材に接触する前に下方に反ってしまい、揺動部材に接触しても上方に反らせることが困難となり排紙揃えが悪化してしまう等の課題もある。  
本発明は、排出される用紙の種類に応じて任意に揺動部材の位置を変化させて、最適な用紙の積載性能を得られる排紙収納装置と画像形成装置を提供することを目的とする。
【課題を解決するための手段】
【０００８】
請求項１の発明は、排紙される用紙が順次積載される排紙台と、この排紙台に設けられた排出方向と略平行に延びるとともに排出方向と略直交する方向で互いに対向する一対のサイドフェンスと、これら一対のサイドフェンスに回転自在に装着されたアームの自由端部に回動自在に連結されていて、各サイドフェンスの内面から突出する案内位置と内面から退避する収納位置とを占める揺動部材とを備え、揺動部材が案内位置を占めたときに用紙の幅方向端部を上方に反らせる接触面を有し、各サイドフェンスの垂直方向に設けられて用紙の重さで用紙の落下を許容する排紙収納装置において、揺動部材を案内位置と収納位置とへ任意の操作によって変位させる退避手段を有することを特徴としている。
【０００９】
請求項２の発明は、請求項１記載の排紙収納装置において、退避手段が、各サイドフェンスに対して摺動自在な操作部と、操作部と一体的に移動可能に設けられ操作部を摺動した際に各案内部材の一部と係合して各案内部材を収納位置へと移動させる作用部材とを有することを特徴としている。
【００１０】
請求項３の発明は、請求項１または２記載の排紙収納装置において、揺動部材が排出方向に複数列設けられ、各列において揺動部材は垂直方向に交互配設され、各列にそれぞれに独立して前記退避手段を設置したことを特徴としている。
【００１１】
請求項４の発明は、請求項１、２または３記載の排紙収納装置において、揺動部材は、排紙台に積載された用紙を上方へ取り出す際に、上方へ移動しながら前記案内位置から収納位置へと変位することを特徴としている。
【００１２】
請求項５の発明は、請求項１ないし４の何れかに記載の排紙収納装置において、揺動部材の上方に、用紙の幅方向端部を上方に反らせて落下させるための誘導ガイド部材を有することを特徴としている。
【００１３】
請求項６の発明は、請求項５記載の排紙収納装置において、誘導ガイド部材がサイドフェンスに開閉可能に装着されていることを特徴としている。
【００１４】
請求項７の発明は、画像形成手段により形成された画像を用紙に転写し、その用紙を排紙収納装置に排出して積載収納する画像形成装置において、排紙収納装置が請求項１ないし６の何れかに記載のものであることを特徴としている。
【発明の効果】
【００１５】
本発明によれば、揺動部材を案内位置と収納位置とへ任意の操作によって変位させる退避手段を設けたことで、用紙の種類に応じて任意に揺動部材の位置を変化させることができるので、用紙落下時の状態を安定させることができ、用紙に応じた最適な積載性能を得ることができる。積載された用紙を取り出す場合には、退避手段を操作することで揺動部材を収納位置へと変位することができるので、取り出し時の抵抗がほとんどなく、用紙取出性を向上させることができる。
【００１６】
本発明によれば、揺動部材が排出方向に複数列設けられ、各列において揺動部材は垂直方向に交互配設され、各列にそれぞれに独立して退避手段を設置したので、画像形成領域にバラツキがあって、用紙のコシの強さに強弱がある場合でも、コシの強弱位置に対応して退避手段を操作することで揺動部材の位置を調整することができるので、落下時のバランスを最適にでき、より良好な積載性能を得ることができる。
【００１７】
本発明によれば、揺動部材の上方に、用紙の幅方向端部を上方に反らせて落下させるための誘導ガイド部材を設けたことで、排出方向のガイドと落下方向のガイドが可能となり、ベタ画像の印刷時や高湿環境下での印刷に、用紙にインクが転写し用紙が逆Ｕ字形状にカールしてしまうような状況でも、用紙に対し確実なＵ字形状のコシ付けを与えることができ、落下まで維持することができ、より良好な積載性能を得ることができる。
【発明を実施するための最良の形態】
【００１８】
以下、本発明の一実施形態を図に基づいて説明する。図１１に基づいて本形態における画像形成装置となる孔版印刷装置６０の構成の概要を説明する。孔版印刷装置６０は、外周面にクランパ６１を有するとともに内部に図示しないインキ供給手段を有する画像形成手段としての印刷ドラム６２と、印刷ドラム６２上の使用済みのマスタを剥離する排版手段６３と、図示しない原稿読取手段からの画像読取情報に基づいてマスタを製版し、製版されたマスタを印刷ドラム６２に供給する製版・給版手段６４と、給紙手段６５と、給紙手段６５により給紙された用紙３を印刷ドラム６２に押圧する印圧手段としてのプレスローラ６６と、印刷された用紙３を搬送する排紙搬送手段６７と、排紙収納装置６８等を有している。以下に詳述する排紙収納装置６８の構成以外は周知の構成である。本形態では、孔版印刷装置６０として、排版手段６３や製版・給版手段６４を有する所謂、製版一体型の孔版印刷装置を例示したが、これら排版手段６３や製版・給版手段６４のない孔版印刷装置であっても良い。
【００１９】
給紙手段６５は、昇降可能な給紙台６９と、その上に積載された用紙３を最上のものから順に一枚ずつ分離して給紙する給紙コロ７０及び分離コロ７１と、給紙された用紙３を一旦停止させて斜めずれを修正した後、印刷ドラム６２上の画像の先端と用紙３の搬送方向の所定位置とが一致するタイミングで用紙３を転写部位へ搬送するレジストローラ対７２等を有している。製版済みのマスタの先端部がクランパ６１で挟持され、印刷ドラム６２の時計回り方向の回転によって製版済みのマスタが印刷ドラム６２の外周面に巻装される。レジストローラ対７２の給紙タイミングに同期してプレスローラ６６が上昇し、用紙３を印刷ドラム６２に押圧する。この押圧動作により、図示しないインキ供給手段により印刷ドラム６２の内面に供給されたインキは、印刷ドラム６２開口部及びマスタの穿孔部を通って滲み出して用紙３上に転移する。インキ画像を転写された用紙３は、図示しない分離手段により印刷ドラム６２から分離され、排紙搬送手段６７により搬送される。排紙搬送手段６７は空気流を形成するファンを有しており、用紙３は吸着されて搬送される。排紙搬送手段６７により搬送された用紙３は、排紙収納装置６８に収納され、順次積載される。
【００２０】
排紙収納装置６８は、排紙台７４と、エンドフェンス７５と、一対のサイドフェンス７６Ａ，７６Ｂを有している。図示しないが、エンドフェンス７５は用紙３の排出方向において位置調整可能であり、サイドフェンス７６Ａ，７６Ｂは用紙３の排出方向と直交する方向において位置調整可能となっている。これらの位置調整機構は従来と同様の構成を採用することができる。
【００２１】
図１に示すように、用紙３の排出方向右側に位置するサイドフェンス７６Ａの排出方向後端側には、複数の揺動部材１５が一体に組み付けられたユニット３４が排出方向に間隔をおいて２つ設けられている。図示しないが、用紙の排出方向左側に位置するサイドフェンス７６Ｂにおいても同様の構成となっている。サイドフェンス７６Ａ，７６Ｂの各ユニット３４の上部には、用紙３の幅方向端部（排出方向に平行な端部）を上方に反らせて落下させるための誘導ガイド部材９０が設けられている。サイドフェンス７６Ａ，７６Ｂには、図２に示すように、揺動部材１５を内方へ（反対側のサイドフェンス側へ）突出させるための開口部７７が形成されており、ユニット３４はこの開口部７７に外側から嵌め込んで固定されている。誘導ガイド部材９０は、実線で示す収納位置と二点鎖線で記すガイド位置とを閉めるべく、サイドフェンス７６Ａに形成された収納部７９に開閉可能に支持されている。
【００２２】
図２、図３、図４に示すように、揺動部材１５は、可動補助部材としてのアーム２１に回動自在に支持されている。アーム２１は合成樹脂で一体成形されており、回動軸２２と揺動軸２３とを有している。回動軸２２と揺動軸２３は、それぞれアーム２１を貫通し、その両端をアーム２１の側面から突出させている。回動軸２２と揺動軸２３は用紙幅方向に対してオフセットされている。本形態では、揺動軸２３が回動軸２２よりもケーシング２７内に配置されている。図５に示すように、揺動部材１５は揺動軸２３が挿入される揺動穴２０と、バランス穴２４と、ストッパボス１９と、取付穴２４ａと、接触面１６と、下端面１７及び切欠部２６を有しており、アーム２１と同様に合成樹脂で一体成形されている。下端面１７は、揺動部材１５の本体部（平板部）から略垂直に立ち上げられた接触面１６の延長として形成されており、下方に凸となる円弧状の扇形に形成されている。揺動部材１５は、ウエイトバランス２５を一体に有しており、このウエイトバランス２５とバランス穴２４との位置関係により、揺動部材１５の用紙３に対する揺動動作が確保されている。ウエイトバランス２５は、断面Ｌ字型をなし、ストッパボス１９に係合する位置決め溝２５ａと、ネジ穴２５ｂを有し、位置決めされた状態で、取付穴２４ａに挿通される固定ネジ５０で固定されるようになっている。揺動穴２０に挿入される端部と反対側に位置する揺動軸２３の端部は、図６（ａ）に示すように、揺動部材１５が図１０（ａ）に示すサイドフェンス７６Ａの内面７８から突出する案内位置を占めている時に、後述するガイド穴３３に当接し、過度なアーム２１の揺動が規制される。
【００２３】
ウエイトバランス２５の屈曲端２５ｃは、排紙方向への接触面１６の幅Ｗよりも長く、揺動部材１５から突出している。屈曲端２５ｃが突出する側のケーシング２７内には、揺動部材１５の揺動時に屈曲部２５ｃの移動を許すとともに、揺動部材１５が案内位置を閉めた際に、屈曲端２５ｃと当接する大きさのガイド穴３３が形成されている。このガイド穴３３と屈曲端２５ｃとの当接によって揺動部材１５が過度にサイドフェンス７６Ａの内面７８から突出しないように規制されている。すなわち、屈曲端２５ｃとガイド穴３３はストッパ機構として機能する。揺動部材１５は、揺動穴２０が揺動軸２３に挿入されることで、揺動軸２３を支点としてアーム２１に回動可能に支持され、図１０（ａ）に示すサイドフェンス７６Ａの内面７８から突出する案内位置と、図１０（ｃ）に示す内面７８から退避する収納位置とを占めるように揺動可能とされている。
【００２４】
図６は、アーム２１と揺動部材１５を組み付けたリンク連結体１４を示している。接触面１６は、用紙３の幅方向端部を上方に反り上げてスムーズに揺動部材１５を揺動させ、引っ掛かることなく用紙３を落下させるために低摩擦面化処理（表面コーティング処理等）を施されている。また、接触面１６は、用紙３への擦れ痕を防止して不良画像の発生を防止するために、排出方向に延びる幅Ｗを有している。本形態では４ｍｍ〜７ｍｍに設定されている。
【００２５】
図２に示すように、ユニット３４は、サイドフェンス７６Ａに固定されるケーシング２７と、該ケーシング２７に収容された複数のリンク連結体１４と、揺動部材１５を案内位置と収納位置とへ任意の操作によって変位させる退避手段８０とを有している。本形態では、図３、図４に示すようにケーシング２７の収納部２７ａに第１のリンク連結体１４ａ〜第３のリンク連結体１４ｃの３つのリンク連結体１４が収容されている。ケーシング２７の側面２７ｂ、２７ｃには、それぞれ３つの支持ボス２９ａ、２９ｂ、２９ｃが設けられている。支持ボス２９には支持穴３０が形成されており、該支持穴３０にアーム２１の回動軸２２の一端が回動可能に収納部２７ａ側から挿入される。各側板の３つの支持ボス２９ａ、２９ｂ、２９ｃの位置は、互いに配置されていて、回動軸２２が左右どちらの側板にも装着可能とされている。支持穴３０に挿入される端部と反対側の回動軸２２の端部は、組付時に後述する仕切部材８２の端部８２ｃに当接する。このため、回動軸２２は、側面２７ｂと端部８２ｃとに挟まれて脱落防止が図られている。
【００２６】
本形態では、ケーシング２７の右側面２７ｂには、１段目の支持ボス２９ａに第１のリンク連結体１４ａが、３段目の支持ボス２９ｃに第３のリンク連結体１４ｃがそれぞれ取り付けられている。ケーシング２７の左側面２７ｃには、２段目の支持ボス２９ｂに第１のリンク連結体１４ａに対して左右対称形状の第２のリンク連結体１４ｂが取り付けられている。
【００２７】
各リンク連結体１４は、ケーシング２７の上下に間隔をもって取り付けられており、且つ、左右において交互に（千鳥状に）配置されている。排出方向においては２列構成となっている。かかる構成により、ケーシング２７の左右において、用紙落下時の揺動部材１５同士の干渉がなく、且つ、全体としては積載方向（上下方向）に３つの揺動部材１５がそれぞれ落下する用紙３に対して機能する。
【００２８】
退避手段８０は、図３、図４に示すように、サイドフェンス７６Ａに対して摺動自在な操作部となる取手部材８１と、取手部材８１と一体的に移動可能に設けられた作用部材としての仕切部材８２を備えている。取手部材８１は、ケーシング２７を覆う形状をなし、ケーシング２７に摺動可能に装着されている。ケーシング２７には、図４において上下方向となる積載方向に延びる長穴８４が、ケーシング２７の上下方向に間隔をおいて複数形成されている。取手部材８１の内部には、各長穴８４に挿入される筒状のボス部８１ａが複数形成されている。各ボス部８１ａと各長穴８４により取手部材８１のガイド機構が構成されている。各ボス部８１ａには、ねじ穴８１ｂがそれぞれ形成されている。
【００２９】
仕切部材８２は、図３に示すように、第１及び第３のリンク連結体１４ａ、１４ｃと第２のリンク連結体１４ｂとをケーシング２７の収納部２７ａで排紙方向に分割するものである。仕切部材８２は、金属製で断面Ｌ字状をなし、図４、図７に示すように、折曲部８２ａの一部を切り起されて取付部８２ｂが２箇所形成されている。仕切部材８２は、各取付部８２ｂを各ボス部８１ａに接合させて図２に示すピンでカシメることで取手部材８１に装着される。つまり、仕切部材８２は、取手部材８１と一定的に移動可能とされている。
【００３０】
サイドフェンス７６Ａ寄りの仕切部材８２の端部８２ｃには、複数の突起部８３ａ、８３ｂ、８３ｃが上下方向に形成されている。突起部８３ａ、８３ｂ、８３ｃは、揺動部材１５に対応して互い違いの配列となるように形成されている。本形態において、突起部８３ａは第１のリンク連結体１４ａの揺動部材１５の上方に、突起部８３ｂは第２のリンク連結体１４ｂの揺動部材１５の上方に、突起部８３ｃは第３のリンク連結体１４ｃの揺動部材１５の上方にそれぞれ配置されている。すなわち、各突起部は、各揺動部材１５に形成されている切欠部２６の上方に位置するように配置されていて、取手部材８１を下方に向かって摺動させた際に、取手部材８１と一体的に移動して切欠部２６に上方から当接して係合するように構成されている。
【００３１】
ここで、切欠部２６と突起部８３と揺動軸２３の位置関係について説明する。切欠部２６は、図１０（ａ）に示すように、揺動部材１４が案内位置を占めているときに、図１０に二点破線で示す切欠部２６の移動経路上に位置するように形成されている。突起部２６は、回動軸２２の中心よりも内面７８側に配設されている。揺動軸２３は回動軸２２よりもケーシング２７内にオフセットされている。突起部８３の移動経路を示す。
【００３２】
図８に基づいて、用紙３が排出・積載されるときの揺動部材１５の案内動作を説明する。本形態において、用紙３は標準的な厚さのものとする。孔版印刷装置６０の排紙搬送手段６７により排出される用紙３が、上方に凸状のアーチ形態で排出された場合、まず、図１、図２に示したユニット３４の上方に位置する誘導ガイド部材９０に幅方向端部が当たり、これにより用紙３は下方に凸状の逆アーチ形態（Ｕ型形態）で第１のリンク連結体１４ａの揺動部材１５に接触する。その状態が図８に示す３ｃの状態である。用紙３の端部は揺動部材１５の接触面１６に接触した後、３ｄの状態に落下移行する。これに伴って揺動部材１５は、アーム２１の揺動軸２３を支点として収納部２７ａ内のｆ１の位置に変位する。続いて用紙３の端部は３ｅの状態に落下移行し、揺動部材１５はｆ２の位置に変位する。
【００３３】
さらに、用紙３の端部が３ｆの状態に落下移行し、揺動部材１５がｆ３の位置に揺動すると、用紙３の端部が接触面１６から開放され、揺動部材１５がその自重及びウエイトバランス２５の重さによって初期位置ｅ１、すなわち案内位置に復帰する。初期位置ｅ１は、ウエイトバランス２５の屈曲部２５ｃがガイド穴３３のストッパエッジ３３ａに当接することによって得られる。揺動部材１５を離れた用紙３は、Ｕ型形態の状態で第２のリンク連結体１４ｂの揺動部材１５、第３のリンク連結体１４ｃの揺動部材１５と連続的に接触し、最終的にＵ型形態で排紙台７４上に積載される。用紙３は排出時、その先端がエンドフェンス７５に突き当たるが、後端側が揺動部材１５に支持されるので跳ね返りも抑制される。
【００３４】
用紙３のＵ型形態でのスムーズな落下を可能にするために、サイドフェンス７６Ａからの揺動部材１５の突出量Ｆは１０ｍｍ〜１３ｍｍに、接触面１６の傾斜角度θを２５°〜４０°にそれぞれ設定している。サイドフェンス７６Ｂ側においても同様の構成、機能、条件となっている。
【００３５】
図９に基づいて、排紙台７４に積載された用紙３を取り出すときの揺動部材１５等の動作を説明する。図９（ａ）に示すように、本形態では揺動部材１５の下端面１７を扇形としているので、用紙３の積載時、用紙３の端部が揺動部材１５の裏側に潜り込むことが防止され、矢印Ｄで示す用紙幅方向での用紙３の挙動が安定する。積載された用紙３を取り出す際には、用紙３の束（以下「用紙束」と記す）が矢印Ｅ方向に持ち上げられる。図９（ａ）は持ち上げられる前の状態を示している。
【００３６】
図９（ａ）に示す状態から用紙束が矢印Ｅ方向に持ち上げられると、揺動部材１５は用紙束の角３ａで押し上げられる。揺動部材１５は、ウエイトの屈曲部２５ｃがガイド穴３３のストッパエッジ３３ａに沿って上方に移動する変位をし、これに伴ってアーム２１が回動軸２２を支点として回動し、図９（ｂ）に示すように、揺動部材１５とアーム２１とが変位する。さらに用紙束が持ち上げられると、図９（ｃ）に示すように、揺動部材１５はストッパエッジ３３ａによって案内されつつ上方に変位し、アーム２１の変位も行われ、揺動部材１５が収納部２７ａ内に完全に入り込む。これによって用紙束はリンク連結体１４ｃに引っ掛かることなく持ち上げられる。このスムーズな持ち上げ動作は、第１及び第２のリンク連結体１４ｂ、１４ａにおいても同様になされる。ケーシング２７内に入り込んだリンク連結体１４は、図９（ｄ）に示すように、揺動部材１５の自重とウエイトバランス２５の自重によって収納位置から初期位置ｅ１に復帰する。
【００３７】
用紙３の厚さが標準的な厚さよりも薄くコシがない場合には、誘導ガイド部材９０はサイドフェンス７６Ａの内面から突出した図２に二点鎖線で示すガイド位置のまま、揺動部材１５の位置だけを調整する。この調整を行うには、図１０（ａ）に示すように、取手部材８１を下方に向かって摺動させる。すると、図１０（ｂ）に示すように、これと一体の仕切部材８２も同方向に移動し、突起部８３が切欠部２６に当接する。取手部材８１の移動をさらに進めると、切欠部２６に突起部８３が挿入し、揺動部材１５が揺動軸２３を中心に退避位置に向かって変位し、最終的には図１０（ｃ）に示す収納位置に置かれる。揺動部材１５は、突起部２６が切欠部２６に挿入されることで、収納位置に保持される。
【００３８】
このように、孔版印刷装置６０の排紙搬送手段６７により排出された薄い用紙は、揺動部材１５に案内されることがないので、揺動部材１５によって薄い用紙が撓むことがなく、揺動部材１５で案内する場合よりも落下時のＵ時形状を保持し易くなり、整列されて排紙台７４上に積載することができる。揺動部材１５の上方には、誘導ガイド部材９０が内面７８から突出しているので、排紙搬送手段６７により排出された普通の厚さや薄い用紙は、エンドフェンス７５に接触するまでにその下方よりガイドされる。このため、用紙が逆Ｕ字形状になることが抑制され、安定した状態で揺動部材１５へと浮け渡さられることになり、揺動部材１５との位置関係が安定し排紙揃えが更に向上する。
【００３９】
揺動部材１５を案内位置に戻すには、取手部材８１を上方に向かって摺動する。すると、仕切部材８２が上方に移動し、突起部８３が切欠部２６から外れて、揺動部材１５に対する保持力がなくなる。このため、揺動部材１５は、自重とウエイトバランス２５の作用により、図１０（ｃ）に示す収納位置から図１０（ａ）に示す案内位置に向かって変位し、屈曲端２５ｃとガイド穴３３とが当接することで案内位置に保持される。
【００４０】
排紙搬送手段６７により排出された用紙が普通のものに比べて厚い場合には、用紙そのもののコシが強いので、誘導ガイド部材９０によるガイドを必要としないため、図２に実線で示すように、内面７８から突出させないように、誘導ガイド部材９０を閉じ状態にオペレータが操作する。
【００４１】
上記形態では回動可能に支持されたアーム２１により揺動部材１５を回動可能に支持する構成としたが、揺動部材１５を直接ケーシング２７に回動可能に支持する構成としてもアーム２１を有する場合と同様、排紙台７４への用紙３を整列させて良好な積載機能を得ることができる。揺動部材１５を千鳥状に配置したが、垂直方向に直線状に配置してもよい。本形態では、用紙３の排出方向に間隔をおいて揺動部材１５を複数列設ける構成としたが単列でもよい。
【００４２】
本形態では、排紙収納装置を孔版印刷装置６０に装着したが、装着するが画像形成装置としては孔版印刷装置に限定されるものではなく、大量排紙される印刷機や複写機などの事務機器全般に適用してもよい。
【図面の簡単な説明】
【００４３】
【図１】本発明の一実施の形態が適用された排紙収納装置のサイドフェンスの一方の概要正面図である。
【図２】サイドフェンスに装着された揺動部材と退避手段とを備えたユニットの構成を示す拡大断面図である。
【図３】揺動部材と退避手段とを備えたユニットをサイドフェンス内面側から見た図である。
【図４】揺動部材と退避手段とを備えたユニットを分解した展開図である。
【図５】アームと揺動部材の関係を示す分解斜視図である。
【図６】アームと揺動部材の組み付け状態を示す図で、（ａ）は概要側面図、（ｂ）は概要正面図である。
【図７】仕切部材の構成を示す拡大図であり、（ａ）は側面図、（ｂ）は正面図である。
【図８】用紙落下時の揺動部材の案内動作を示す図である。
【図９】用紙取り出し時の揺動部材の退避動作を示す図で、（ａ）は用紙束を持ち上げる直前の状態を示す図、（ｂ）は用紙束の持ち上げによって揺動部材が上方に変位した状態を示す図、（ｃ）は揺動部材がサイドフェンスの内方に完全に退避した状態を示す図、（ｄ）は用紙束が持ち上げられた後に揺動部材が初期位置に復帰する前の状態を示す図である。
【図１０】取手部材による揺動部材の切替動作を示す図で、（ａ）は操作直前の状態を示す図、（ｂ）は突起部と係合部との当接時の状態を示す図、（ｃ）は揺動部材が収納位置を占めた状態を示す図である。
【図１１】画像形成装置としての孔版印刷装置の概要正面図である。
【図１２】従来における排紙収納装置の概要斜視図である。
【図１３】用紙が上方に凸状となる状態で排出される状態を示す斜視図である。
【符号の説明】
【００４４】
３    用紙
２１    アーム
１４    揺動部材
２６    揺動部材の一部
６２    画像形成手段
６８    排紙収納装置
７４    排紙台
７６Ａ，７６Ｂ    サイドフェンス
７８    サイドフェンスの内面
８０    退避手段
８１    操作部
８２    作用部材
９０    誘導ガイド部材
【図１】
2005154027.tif 000003
【図２】
2005154027.tif 000004
【図３】
2005154027.tif 000005
【図４】
2005154027.tif 000006
【図５】
2005154027.tif 000007
【図６】
2005154027.tif 000008
【図７】
2005154027.tif 000009
【図８】
2005154027.tif 000010
【図９】
2005154027.tif 000011
【図１０】
2005154027.tif 000012
【図１１】
2005154027.tif 000013
【図１２】
2005154027.tif 000014
【図１３】
2005154027.tif 000015